(57)【要約】【課題】電源部内部の絶縁トランスや整流回路部等が故障し電源部の出力電圧が定格電圧より大きく外れたときは入力電圧異常検出部で入力電源のエラーをマイコンに伝えシャワーの出湯を強制的に停止させるシャワー装置を提供する。【解決手段】浴室内部に設けられたシャワー装置１４に電源を供給する電源部１８を有し、シャワー装置１４には入力電圧異常検出部１９を設け、入力電圧異常検出部１９が異常を検出したときにはシャワー装置１４のシャワー出湯を強制的に停止することにより、電源部内部の絶縁トランスや整流回路部等が故障し電源部の出力電圧が定格電圧より大きく外れたときは入力電圧異常検出部で入力電源のエラーをマイコンに伝えシャワーの出湯を強制的に停止させるため、使用者にとって非常に安全なシャワー装置。【選択図】　図１
2004016695.tif 000002
【特許請求の範囲】
【請求項１】
浴室内部に設けられたシャワー装置と、前記シャワー装置に電源を供給する電源部とを有し、前記シャワー装置には入力電圧異常検出部を設け、前記入力電圧異常検出部が異常を検出したときには前記シャワー装置のシャワー出湯を強制的に停止するシャワー装置。
【請求項２】
シャワー装置に電源を供給する電源部は、浴室外部に設けられた請求項１記載のシャワー装置。
【発明の詳細な説明】
【０００１】
【発明の属する技術分野】
本発明は浴室で用いられ、使用者の体等を洗浄するシャワー装置に関するものである。
【０００２】
【従来の技術】
従来のシャワー装置は図５に示すような構造であり図５は従来のシャワー装置の構成ブロック図である。図５において、給水部と給湯部が湯水混合部で混合され、流路切替部において吐水口Ａ部かＢ部かを選択し出湯する構成であった。また、電源部に接続された電気制御部でコントロールすることで湯水混合部の温度調整や流路切替部の吐水部選択を行なっていた。
【０００３】
【発明が解決しようとする課題】
しかしながら上記従来のシャワー装置は電源部内部の絶縁トランスや整流回路部等が故障し電源部の出力電圧が定格電圧より大きく外れたとき、シャワー装置の電気制御部のマイコンやマイコン周辺回路が故障したり誤作動を起こしてしまい、電気制御部のコントロールが不可能になり、高温水を出湯したり冷水を出水する場合があり、使用者にとって危険であった。
【０００４】
【課題を解決するための手段】
上記課題を解決するために、本発明は、浴室内部に設けられたシャワー装置と、前記シャワー装置に電源を供給する電源部とを有し、前記シャワー装置には入力電圧異常検出部を設け、前記入力電圧異常検出部が異常を検出したときには前記シャワー装置のシャワー出湯を強制的に停止するシャワー装置としたものである。
【０００５】
この構成によれば、シャワー装置内に設けた入力電圧異常検出部が常時、入力電圧を監視しているため、電源部内部の絶縁トランスや整流回路部等が故障し電源部の出力電圧が定格電圧より大きく外れたときは入力電圧異常検出部で入力電源のエラーをマイコンに伝えシャワーの出湯を強制的に停止させるため、使用者にとって非常に安全である。
【０００６】
【発明の実施の形態】
本発明の請求項１記載の発明は、浴室内部に設けられたシャワー装置と、前記シャワー装置に電源を供給する電源部とを有し、前記シャワー装置には入力電圧異常検出部を設け、前記入力電圧異常検出部が異常を検出したときには前記シャワー装置のシャワー出湯を強制的に停止するシャワー装置としたものである。
【０００７】
そして、シャワー装置内に設けた入力電圧異常検出部が常時、入力電圧を監視しているため、電源部内部の絶縁トランスや整流回路部等が故障し電源部の出力電圧が定格電圧より大きく外れたときは入力電圧異常検出部で入力電源のエラーをマイコンに伝えシャワーの出湯を強制的に停止させるため、使用者にとって非常に安全である。
【０００８】
また、請求項２記載の発明は、シャワー装置に電源を供給する電源部は、浴室外部に設けられた請求項１記載のシャワー装置とする。
【０００９】
この構成により、電源部と機器の電気制御部が独立しているので、どのような電源を使用しても機器側の電気制御部に設けた入力電圧異常検出部で確実に出湯を停止させることができるものである。
【００１０】
【実施例】
（実施例１）
以下、本発明の実施例について図面を用いて説明する。本発明の実施例の構成図を図１に示す。シャワー装置１４は給水配管１と給湯配管２とを逆止弁３を介してサーモスタット式ミキシングバルブ４に接続し、混合水配管５の途中に電磁弁１１を設け、電磁弁１１の下流側に流路を切り替える切替えバルブ６を接続している。
【００１１】
また、シャワー装置１４の配管部にサーモスタット式ミキシングバルブ４の温度を変えることができるバルブ軸部に取付けたモータ９と混合水配管５の湯温を測定するサーミスタ１０と切替えバルブ６の流路を変えることができるバルブ軸部に取付けたモータ９と電磁弁１１とを設け、それらを電気制御部１３のマイコン１２でコントロールすることで湯温調整や流路切替えを行なっている。電気制御部１３には入力電圧を監視する入力電圧異常検出部１９を有している。
【００１２】
一方、シャワー装置１４に電源を供給する電源部１８は内部に絶縁トランス１７や整流回路部１６を有し、中継コード１５を介しシャワー装置１４と接続する。
【００１３】
本発明の実施例の設置側面図を図２に示す。シャワー装置１４は浴室内部の壁面に固定されており、壁裏に中継コード１５を這わせることで、設置場所の離れた天井上の電源部１８より電源を供給する。つまり、浴室内部に設けられたシャワー装置に電源を供給する電源部は、浴室外部に設けられているわけである。
【００１４】
本発明の実施例の制御回路図を図３に示す。電気制御部１３において、入力電圧異常検出部１９で常時、電源部１８からの入力電圧を監視する。入力電圧異常検出部１９は入力電圧を抵抗２０と抵抗２１で分圧したものをマイコンにアナログ値としてＡｉｎに入力し、マイコン内部でＡ／Ｄ変換を行なう。２２はマイコン１２やその他の部品の電源を作るレギュレータである。
【００１５】
また、電磁弁１１はトランジスタ２３とトランジスタ２４によってＯＮ／ＯＦＦを行なう。マイコンポートのＰ１は定常運転時の電磁弁のＯＮ／ＯＦＦ制御を行ない、Ｐ２は入力電圧異常検出部１９で入力電源のエラーを検出した場合のみ、電磁弁をＯＦＦする。
【００１６】
本発明の実施例における電磁弁制御のフローチャートを図４に示す。マイコン１２ではポートＡｉｎの電圧を常時監視し、定格電圧より極端に低くないか及び定格電圧より極端に高すぎないかをチェックする。Ａｉｎ値が指定値より低かったり、高かったときは電磁弁をＯＦＦする。
【００１７】
上記構成において、天井上の電源部の内部の絶縁トランスや整流回路部等が故障し電源部の出力電圧が定格電圧より大きく外れたときは、浴室内部のシャワー装置の入力電圧異常検出部で入力電源のエラーをマイコンに伝え、電磁弁の電源をＯＦＦしシャワーの出湯を強制的に停止させるため使用者にとって非常に安全である。
【００１８】
【発明の効果】
以上説明したように本発明によれば、シャワー装置内に設けた入力電圧異常検出部が常時、入力電圧を監視しているため、電源部内部の絶縁トランスや整流回路部等が故障し電源部の出力電圧が定格電圧より大きく外れたときは入力電圧異常検出部で入力電源のエラーをマイコンに伝えシャワーの出湯を強制的に停止させるため、使用者にとって非常に安全である。
【図面の簡単な説明】
【図１】本発明のシャワー装置の制御構成図
【図２】同シャワー装置を設置した状態を示す側面図
【図３】同シャワー装置の制御回路図
【図４】同シャワー装置の電磁弁制御のフローチャート
【図５】従来のシャワー装置の制御ブロック図
【符号の説明】
１４　シャワー装置
１８　電源部
１９　入力電圧異常検出部
【図１】
2004016695.tif 000003
【図２】
2004016695.tif 000004
【図３】
2004016695.tif 000005
【図４】
2004016695.tif 000006
【図５】
2004016695.tif 000007